(57)【要約】【課題】  負荷電流開閉用接点の溶着状態を確実に検出し得る電磁リレーを簡易な構成にて提供することである。【解決手段】  複数組の対向配置されるＮＣ２ａ、２ｂ端子及びＮＯ端子３ａ、３ｂと、これらの間に配置されるＣＯＭ接点９ａ、９ｂを有するＣＯＭ端子４ａ、４ｂと、を電磁コイル部５が具備された端子台６に横並びに組み付けてなる電磁リレーであって、絶縁材料からなる接続部材１０を有し、接続部材１０は、横並びに組み付けられたＣＯＭ端子４ａ、４ｂを接続してなるものである。【選択図】図１
2005339913.tif 000002
【特許請求の範囲】
【請求項１】
複数組の対向配置されるＮＣ端子及びＮＯ端子と、これらの間に配置されるＣＯＭ接点を有するＣＯＭ端子とを、電磁コイル部が具備された端子台に横並びに組み付けてなる電磁リレーであって、
絶縁材料からなる接続部材を有し、該接続部材は、横並びに組み付けられた前記ＣＯＭ端子を接続してなる電磁リレー。
【請求項２】
前記接続部材は前記ＣＯＭ端子間の略中央より下方に延設した接続部材延設部を有し、前記端子台は前記接続部材延設部の下方より上方に延設した凹形状の端子台延設部を有し、該端子台延設部の凹部は、前記接続部材延設部の端部が移動できるように設けたことを特徴とする請求項１記載の電磁リレー。
【請求項３】
前記接続部材は、前記ＣＯＭ接点の下方で該ＣＯＭ端子を接続し、前記端子台は、略前記ＮＣ端子と前記ＮＯ端子と間において略中央を上部に延設した端子台延設部を備えたことを特徴とする請求項１記載の電磁リレー。
【発明の詳細な説明】
【技術分野】
【０００１】
本発明は、電磁リレーに関し、さらに詳しくは、その開閉状態検出用の端子間の溶着状態を検出することができる、いわゆる安全リレーとして使用される電磁リレーに関するものである。
【背景技術】
【０００２】
電磁リレー（電磁継電器）とは、電磁力によって接点を開閉する機能を有してなる機器の総称であり、有接点シーケンス制御に使用される。このような電磁リレーの例としてヒンジ形電磁リレーがあり、図５で示すように、電磁リレー５１は、対向配置されるＮＣ端子５２ａ、５２ｂ及びＮＯ端子５３ａ、５３ｂと、これらの両端子５２ａ、５２ｂ、５３ａ、５３ｂ間に配置されるＣＯＭ端子５４ａ、５４ｂとを、電磁コイル部５５が具備された端子台５６に組み付けることにより構成されている。
【０００３】
そして、電磁コイル部５５を備え、固定側のＮＣ端子５２ａ、５２ｂ及びＮＯ端子５３ａ、５３ｂと、可動側のＣＯＭ端子５４ａ、５４ｂと、が組み付けられる端子台５６は、樹脂等を用いることにより一体化して作製されている。このとき、ＮＣ端子５２ａ、５２ｂ及びＮＯ端子５３ａ、５３ｂと、ＣＯＭ端子５４ａ、５４ｂと、は、端子台５６の下面から外向きに引き出されている。
【０００４】
この電磁リレー５１は、電磁コイルに電流が流れると、電磁コイル部５５の固定鉄心が電磁石となって可動鉄片６２を吸引し、かつ、リンク機構６１を介してＣＯＭ端子５４ａ、５４ｂが移動させられる。そして、ＣＯＭ端子５４ａ、５４ｂに連動して移動したＣＯＭ接点５９ａ、５９ｂが、ＮＣ端子５２ａ、５２ｂのＮＣ接点５７ａ、５７ｂまたはＮＯ端子５３ａ、５３ｂのＮＯ接点５８ａ、５８ｂのいずれか一方と接触または離間することにより回路が開閉される。また、電磁コイルに流れる電流を遮断すると、固定鉄心が電磁石ではなくなる結果、復帰バネの力でもってＣＯＭ端子５４は元の位置に復帰する。
【０００５】
すなわち、一般的な電磁リレー５１における電磁コイルに対する非通電時には、ＣＯＭ接点５９がＮＣ接点５７と接触しているので、ＣＯＭ接点５９及びＮＯ接点５８間、つまり、ＣＯＭ端子５４及びＮＯ端子５３間を電流が流れることはない。一方、電磁コイルに対する通電時には、ＮＣ接点５７から離間したＣＯＭ接点５９がＮＯ接点５８と接触するので、ＣＯＭ接点５９及びＮＯ接点５８間、つまり、ＣＯＭ端子５４及びＮＯ端子５３間を電流が流れる。
【０００６】
ここで、一方の端子及び接点の組、例えば、ＣＯＭ端子５４ａ、ＣＯＭ接点５９ａ、ＮＣ端子５２ａ、ＮＣ接点５７ａ、ＮＯ端子５３ａ、ＮＯ接点５８ａを負荷電流開閉用とする。そして、他方の端子及び接点の組、ＣＯＭ端子５４ｂ、ＣＯＭ接点５９ｂ、ＮＣ端子５２ｂ、ＮＣ接点５７ｂ、ＮＯ端子５３ｂ、ＮＯ接点５８ｂを開閉状態検出用とする。
【０００７】
このものは、負荷電流開閉用の接点に過大な電流が流されるなどして接点が溶着した場合、開閉状態検出用の端子間に検出電流が流れるので、溶着状態を検出することができ。すなわち、この電磁リレー５１は、いわゆるセーフティリレー（安全リレー）として使用されるものである。
【０００８】
また、電磁リレーのための接点ユニットとして、例えば、特開２０００−１８２４５６号公報に記載されたものがある。この接点ユニット１０１は、図６に示すように、接点バネ１１０と、固定接点１１２と、アクチュエータ１１３とで構成され、接点ばね１１０の一端がリベット等によって保持体１１１へ支持される。固定接点１１２は接点ばね１１０の自由端に対向している。アクチュエータ１１３は接点ばね１１０に係合するものである。接点ばね１１０の自由端に２つの接点部材１１５、１１６が形成される。この２つの接点部材１１５、１１６は接点ばね１１０の長手方向軸に対して横方向に離間し、共通の固定接点に設けた接点部材（図示せず）との間で作用する。接点ばね１１０には、フレキシブルであるだけでなく長手方向軸のまわりで十分にねじれることができる領域１１９が設けられて、両方の接点対の閉動作を可能とする。接点部材１１５、１１６を支持する接点ばね１１０の自由端を固定接点１１２に対してある角度で配置することにより、円滑で跳ね返りの少ない接点の閉動作を達成することができ、同時に予備接点と主接点の機能を与えることができるものである。
【０００９】
ところで、最近、電子機器の高信頼化に伴い、電子機器に搭載される電子部品の高信頼が要求されるようになった。しかしながら、この場合の電磁リレー５１では、負荷電流開閉用の接点が溶着しているにもかかわらず、例えば、リンク機構６１の先端がねじれた場合などは、開閉状態検出用の端子同士が接触しないことが起こる場合がある。この場合は、電磁リレーの開閉状態が検出できない。
【特許文献１】特開２０００−１８２４５６号公報
【発明の開示】
【発明が解決しようとする課題】
【００１０】
本願発明は、上記背景技術に鑑みて発明されたものであり、その課題は、負荷電流開閉用接点の溶着状態を確実に検出し得る電磁リレーを簡易な構成にて提供することである。
【課題を解決するための手段】
【００１１】
上記課題を解決するために、本願発明は、複数組の対向配置されるＮＣ端子及びＮＯ端子と、これらの間に配置されるＣＯＭ接点を有するＣＯＭ端子とを、電磁コイル部が具備された端子台に横並びに組み付けてなる電磁リレーであって、絶縁材料からなる接続部材を有し、該接続部材は、横並びに組み付けられた前記ＣＯＭ端子を接続してなるものである。
【００１２】
また、前記接続部材は前記ＣＯＭ端子間の略中央より下方に延設した接続部材延設部を有し、前記端子台は前記接続部材延設部の下方より上方に延設した凹形状の端子台延設部を有し、該端子台延設部の凹部は、前記接続部材延設部の端部が移動できるように設けることが好ましい。
【００１３】
また、前記接続部材は、前記ＣＯＭ接点の下方で該ＣＯＭ端子を接続し、前記端子台は、略前記ＮＣ端子と前記ＮＯ端子と間において略中央を上部に延設した凸部を備えることが好ましい。
【発明の効果】
【００１４】
本願発明の電磁リレーによれば、接続部材にてＣＯＭ端子４ａと４ｂとを接続されていることにより、ＣＯＭ端子４ａと４ｂのどちらか一方の端子が溶着した場合、溶着されていない他方の端子も溶着状態となり、電磁リレーの開閉状態が検出できる。
【００１５】
更に、接続部材にてＣＯＭ端子４ａと４ｂが接続されていることにより、ＣＯＭ端子４ａと４ｂのどちらか一方の端子が溶着した場合、溶着されていない端子も溶着状態となり、ＮＣ端子側の接点開離時の引き剥がし力、すなわち、ＣＯＭ端子４ａと４ｂの両方の引き剥がし力が加わることになり、耐溶着性が向上する。
【００１６】
更に、接続部材延設部が端子台延設部の凹部を移動する構造なので、ＣＯＭ端子間に絶縁物が入ることになり、異極間絶縁距離及び耐圧性能を充分に確保することができる。
【００１７】
更に、ＣＯＭ接点の下方で前記ＣＯＭ端子を接続しているので、電磁リレーを天地逆に取り付ける場合でも、電磁リレーの可動時の摩擦により発生する摩擦粉は下方に落ちるため、ＣＯＭ端子のＣＯＭ接点に付着することが防止できる。
【発明を実施するための最良の形態】
【００１８】
本願の第１の実施形態の電磁リレー１を図１及び図２に基づいて説明する。図１は第１の実施形態に係る電磁リレー１の構造を示す斜視図、図２（ａ）は接続部材１０をＣＯＭ端子４ａ、４ｂに接続した場合の正面図、（ｂ）は接続部材１０をＣＯＭ端子４ａ、４ｂ、４ｃに接続した場合の正面図である。
【００１９】
この電磁リレー１は、複数組の対向配置されるＮＣ端子２ａ、２ｂ及びＮＯ端子３ａ、３ｂと、これらの間に配置されるＣＯＭ接点９ａ、９ｂを有するＣＯＭ端子４ａ、４ｂと、を電磁コイル部５に備えた端子台６に横並びに組み付けられ、そして、絶縁材料からなる接続部材１０を横並びに組み付けられたＣＯＭ端子４ａ、４ｂとの間を接続した構造になっている。
【００２０】
接続部材１０は、略四角柱の形状を有し、長手側の略中央にＣＯＭ端子４の厚みに対応した開口（切込み）を設けて、ＣＯＭ端子４ａと４ｂと接続している。すなわち、接続部材１０により、ＣＯＭ端子４ａと４ｂが連動して確実に動くものである。
【００２１】
すなわち、この電磁リレー１は組立後において、前述した背景技術のヒンジ形電磁リレー５１とは、ＣＯＭ端子４ａ、４ｂが接続部材１０を介して接続されている以外、同様の構造、つまり、ＮＣ端子２ａ、２ｂのＮＣ接点７ａ、７ｂとＣＯＭ端子４ａ、４ｂのＣＯＭ接点９ａ、９ｂとが互いに接触しあうヒンジ形電磁リレーであり、ＮＣ端子２ａ、２ｂ及びＮＯ端子３ａ、３ｂと、ＣＯＭ端子４ａ、４ｂとは、端子台６の下面から外向きに引き出されている。
【００２２】
次に、この電磁リレー１も動作について説明をする。
【００２３】
この電磁リレー１は、電磁コイルに電流が流れると、電磁コイル部５の固定鉄心が電磁石となって可動鉄片１２を吸引し、かつ、リンク機構１１を介してＣＯＭ端子４ａ、４ｂが移動させられる。そして、ＣＯＭ端子４ａ、４ｂに連動して移動したＣＯＭ接点９ａ、９ｂが、ＮＣ端子２ａ、２ｂのＮＣ接点７ａ、７ｂまたはＮＯ端子３ａ、３ｂのＮＯ接点８ａ、８ｂのいずれか一方と接触または離間することにより回路が開閉される。また、電磁コイルに流れる電流を遮断すると、固定鉄心が電磁石ではなくなる結果、復帰バネの力でもってＣＯＭ端子４は元の位置に復帰する。そこで、電磁リレー１においては、背景技術に係る電磁リレー５１と同様の動作が実行されるものである。
【００２４】
なお、ここでのＮＣ端子２はブレーク接点（ｂ接点）といわれるＮＣ接点７を備え、ＮＯ端子３はメーク接点（ａ接点）といわれるＮＯ接点８を備えている。また、ＣＯＭ端子４は、切替接点（ｃ接点）といわれるＣＯＭ接点９を備えたものである。
【００２５】
すなわち、電磁リレー１における電磁コイルに対する非通電時には、ＣＯＭ接点９がＮＣ接点７と接触しているので、ＣＯＭ接点９及びＮＯ接点８間、つまり、ＣＯＭ端子４及びＮＯ端子３間を電流が流れることはない。一方、電磁コイルに対する通電時には、ＮＣ接点７から離間したＣＯＭ接点９がＮＯ接点８と接触するので、ＣＯＭ接点９及びＮＯ接点８間、つまり、ＣＯＭ端子４及びＮＯ端子３間を電流が流れる。
【００２６】
ここで、一方の端子及び接点の組、例えば、ＣＯＭ端子４ａ、ＣＯＭ接点９ａ、ＮＣ端子２ａ、ＮＣ接点７ａ、ＮＯ端子３ａ、ＮＯ接点８ａを負荷電流開閉用とする。そして、他方の端子及び接点の組、ＣＯＭ端子４ｂ、ＣＯＭ接点９ｂ、ＮＣ端子２ｂ、ＮＣ接点５７ｂ、ＮＯ端子３ｂ、ＮＯ接点８ｂを開閉状態検出用とする。
【００２７】
この電磁リレー１は、負荷電流開閉用の接点に過大な電流が流されるなどして接点が溶着した場合、開閉状態検出用の端子間に検出電流が流れるので、溶着状態を検出することができ。すなわち、いわゆるセーフティリレー（安全リレー）として使用されるものである。
【００２８】
このように構成された電磁リレー１は、一方の接点が溶着した場合、例えば、ＣＯＭ端子４ａとＮＣ端子２ａとが溶着した場合、接続部材１０にてＣＯＭ端子４ａと４ｂとを接続されていることにより、他方のＣＯＭ端子４ｂとＮＣ端子２ｂも接続状態となり、すなわち、溶着されていない他方の端子であるＣＯＭ端子４ｂとＮＣ端子２ｂも溶着状態となり、電磁リレー１の開閉状態が検出できる。
【００２９】
更に、接続部材１０にてＣＯＭ端子４ａと４ｂが接続されていることにより、ＣＯＭ端子４ａと４ｂのどちらか一方の端子が溶着した場合、溶着されていない端子も溶着状態となり、ＮＣ端子２側の接点開離時の引き剥がし力、すなわち、ＣＯＭ端子４ａと４ｂの両方の引き剥がし力が加わることになり、耐溶着性が向上する。
【００３０】
なお、接続部材１０は、略四角柱の形状を有し、長手側の略中央にＣＯＭ端子４の厚みに対応した開口を設けて、ＣＯＭ端子４と接続しているが、ＣＯＭ端子４を接続するものであり、その形状は、適宜決めればよい。
【００３１】
次に、本願の第２の実施形態の電磁リレー１を図３に基づいて説明する。図３（ａ）は接続部材１０をＣＯＭ端子４ａ、４ｂに接続した場合の正面図、（ｂ）は接続部材１０をＣＯＭ端子４ａ、４ｂ、４ｃに接続した場合の正面図である。この実施形態は、前述した第１の実施形態とは、端子台６の形状及び接続部材１０の形状を変えたものであり、それら以外の構成要素は第１の実施形態と同様であるので説明は省略する。
【００３２】
この電磁リレー１は、接続部材１０のＣＯＭ端子４間の略中央より下方に延設した接続部材延設部１０ａを有し、端子台６は接続部材延設部１０ａの下方より上方に延設した凹形状の端子台延設部６ａを有し、端子台延設部６ａの凹部は、接続部材延設部１０ａの端部が移動できるように設けている。
【００３３】
端子台６は、後述する接続部材延設部１０ａの下方より上方に延設した凹形状の端子台延設部６ａを設けている。この凹部には、接続部材延設部１０ａの端部が移動できるような形状になっている。
【００３４】
接続部材１０は、図３（ａ）の場合、図に示すように、ＣＯＭ端子４ａ、４ｂの略中央より下方に延設した略Ｔ字状の接続部材延設部１０ａを設けている。また、図３（ｂ）の場合、図に示すように、ＣＯＭ端子４ａ、４ｂの略中央及びＣＯＭ端子４ｂ、４ｃの略中央下方に延設した略Ｔ字状の接続部材延設部１０ａ、１０ａを設けている。
【００３５】
このように構成された電磁リレー１は、接続部材延設部１０ａの端部が端子台延設部６ａの凹部６ｂを移動する構造なので、ＣＯＭ端子４間に絶縁物が入ることになり、異極間絶縁距離及び耐圧性能を充分に確保することができる。
【００３６】
なお、端子台６の端子台延設部６ａは、可動鉄片１２を吸引し、かつ、リンク機構１１を介してＣＯＭ端子４ａ、４ｂが移動できる空間を凹部６ｂにすれば良い。
【００３７】
次に、本願の第３の実施形態の電磁リレー１を図４に基づいて説明する。図４（ａ）は側断面図、（ｂ）は接続部材１０をＣＯＭ端子４ａ、４ｂに接続した場合の正面図、（ｃ）は（ｂ）の天地を逆にした図であるこの実施形態の電磁リレー１は、前述した第１の実施形態とは、端子台６の形状及び接続部材１０の接続位置を変えたものであり、それら以外の構成要素は第１の実施形態と同様であるので説明は省略する。
【００３８】
この電磁リレー１の接続部材１０は、ＣＯＭ接点９ａ、９ｂの下方でＣＯＭ端子４ａ、４ｂを接続し、端子台６は、略ＮＣ端子２とＮＯ端子３と間において略中央を上部に延設した端子台延設部６ａを設けている。
【００３９】
端子台６は、図４（ａ）、（ｂ）に示すように、断面視において横並びに組みつけられたＣＯＭ端子９ａ、９ｂの間より上方に延設した端子台延設部６ａを設けている。すなわち、端子台延設部６ａは、電磁リレー１が動作した場合、ＣＯＭ端子４が略移動する空間に設けられている。
【００４０】
接続部材１０は、ＣＯＭ接点９ａ、９ｂの下方で、ＣＯＭ端子４ａと４ｂと接続している。
【００４１】
このように構成された電磁リレー１は、ＣＯＭ接点９ａ、９ｂの下方で前記ＣＯＭ端子４ａ、４ｂを接続しているので、電磁リレー１を天地逆に取り付ける場合でも、電磁リレー１の可動時の摩擦により発生する摩擦粉は下方に落ちるため、ＣＯＭ端子４ａ、４ｂのＣＯＭ接点９ａ、９ｂに付着することが防止できる。
【図面の簡単な説明】
【００４２】
【図１】本発明の第１の実施形態に係る電磁リレーの構造を示す斜視図である。
【図２】同上の（ａ）は接続部材をＣＯＭ端子に接続した場合の正面図、（ｂ）は同上の接続部材をＣＯＭ端子に接続した場合の正面図である。
【図３】（ａ）は本発明の第２の実施形態に係る電磁リレーの接続部材をＣＯＭ端子に接続した場合の正面図、（ｂ）は同上の接続部材をＣＯＭ端子に接続した場合の正面図である
【図４】（ａ）本発明の第３の実施形態に係る電磁リレーの構造を示す側断面図、（ｂ）は同上の接続部材１０をＣＯＭ端子４ａ、４ｂに接続した場合の正面図、（ｃ）は（ｂ）の天地を逆にした図である。
【図５】従来例に係るヒンジ形電磁リレーの構造を示す斜視図である。
【図６】特開２０００−１８２４５６号公報に記載された接点ユニットの概略側面図である。
【符号の説明】
【００４３】
１    電磁リレー
２    ＮＣ端子
３    ＮＯ端子
４    ＣＯＭ端子
５    電磁コイル部
６    端子台
６ａ  端子台延設部
６ｂ  凹部
９    ＣＯＭ接点
１０    接続部材
１０ａ  接続部材延設部
【図１】
2005339913.tif 000003
【図２】
2005339913.tif 000004
【図３】
2005339913.tif 000005
【図４】
2005339913.tif 000006
【図５】
2005339913.tif 000007
【図６】
2005339913.tif 000008